【事件の表示】
　平成１１年特許願第１４８１２２号「放射線画像情報読取装置」拒絶査定不服審判事件〔平成１２年１２月　８日出願公開、特開２０００−３３８６１７〕について、次のとおり審決する。
【結　論】
　本件審判の請求は、成り立たない。
【理　由】
第１　手続の経緯
　本願は、平成１１年５月２７日に出願されたものであって、平成１８年１２月７日付けで拒絶理由通知がされ、平成１９年２月１９日付けで手続補正がされ、平成１９年４月２日付けで拒絶査定がされ、これに対し、平成１９年５月１０日付けで審判請求がされたものである。
　
第２　本願発明について
１．本願発明
　本願の請求項１に係る発明（以下、「本願発明」という。）は、平成１９年２月１９日付けの手続補正書の特許請求の範囲の請求項１に記載された事項により特定されるとおりの次のものである。
　
「【請求項１】 放射線画像情報が蓄積記録された蓄積性蛍光体シートの一部に励起光を線状に照射するライン光源と、前記シートの線状に照射された部分および／またはこの照射された部分に対応する前記シートの裏面側の部分から発光された輝尽発光光を受光して光電変換を行う多数の光電変換素子が配列されたラインセンサと、前記ラインセンサと前記蓄積性蛍光体シートとの間に配設された前記輝尽発光光を集光する集光光学系と、前記ライン光源、前記集光光学系および前記ラインセンサを前記シートに対して相対的に、前記線状の長さ方向とは異なる方向に移動させる走査手段とを備えた放射線画像情報読取装置において、前記集光光学系が、前記蓄積性蛍光体シート上の前記輝尽発光光が発光される線状の領域の正立等倍像を前記ラインセンサ上に結像させる結像レンズを多数配列してなるものであり、かつ、輝尽発光光を透過し励起光をカットする着色が施されていることを特徴とする放射線画像情報読取装置。」
　
２．引用例
（１）原審の拒絶の理由において引用された、本願の出願前に頒布された刊行物である特開平１０−２４６９２４号公報（以下、「引用例１」という。）には、以下の技術事項が記載されている。
　
（ａ）「【請求項１】  放射線画像情報が蓄積記録された蓄積性蛍光体シートの一部に励起光を線状に照射するライン光源、前記シートの、前記励起光が照射された部分および／または該照射された部分の裏面の部分から発せられる前記放射線画像情報に応じた輝尽発光光を、該照射された部分の長さ方向に画素分割し、該画素分割により得られた複数の画素を２次元配列で光電的に読み取る画素分割光電読取手段、前記ライン光源および前記画素分割光電読取手段と前記シートとを相対的に前記長さ方向に対して略直交する方向に移動させる走査手段、および前記シートの前記輝尽発光光が発光する部分と前記画素分割光電読取手段との間に配設された、前記励起光の通過を阻止し前記輝尽発光光の通過を許容する励起光分離手段を有することを特徴とする放射線画像情報読取装置。」
　
（ｂ）「【００２４】図１は本発明の放射線画像情報読取装置の一実施形態を示す構成図、図２は図１に示した放射線画像情報読取装置を用いた放射線画像情報読取記録装置の一例を示す図である。
【００２５】図１に示した放射線画像情報読取装置20は、搬送ベルト28a ，28b による蓄積性蛍光体シート（以下、ＩＰという）10の搬送方向Ｘに略直交する方向に延びる、ＩＰ10に蓄積記録された放射線画像情報に応じた輝尽発光光を発生せしめる励起光をＩＰ10に照射するライン光源21と、多数の光電変換素子（およそ40万画素＝縦 632画素×横 632画素）が２次元状に配列されたＣＣＤ25と、各入射端面22a は、ライン光源21からの励起光が照射するＩＰ10の部分に対応するこのＩＰ10の裏面側の部分に対向し、ライン光源21の延びる方向に沿って一列に並ぶように配列され、各出射端面22b は２次元面内に広がるように束ねられてＣＣＤ25の受光面に対向した多数の光ファイバー22i からなる光ファイバー束22と、各光ファイバー22i の各入射端面22a に設けられた励起光分離フィルター23と、この励起光分離フィルター23と蓄積性蛍光体ＩＰ10との間に、各光ファイバー22i の入射端面22a が対向するＩＰ10の部分から発せられる輝尽発光光を、それぞれ対向する各光ファイバー22i に集光させて入射せしめる屈折率分布形レンズ24を多数、ライン光源21の延びる方向に配列した屈折率分布形レンズアレイ24′と、入射端面における各光ファイバー22i と各光電変換素子との対応関係が予め設定された参照テーブル26と、各光電変換素子により検出された各信号Ｓを参照テーブル26に設定された対応関係に基づき、入射端面における光ファイバー22i の配列に応じた配列に構成し直す再構成手段27とを備えた構成である。
【００２６】ここでライン光源21は、その周面の一部に、中心軸に平行な方向に沿ったスリット21c を有する円筒状の反射鏡21b の内部に蛍光灯21a を備えた構成であり、このスリット21c を通過した光は直線状の光となってＩＰ10を照射する。なお、このスリット21c から出射した光の集光度を向上させるために、このスリット21c の延びる方向にはパワーを持たないシリンドリカルレンズを、スリット21c に沿って設けてもよい。
【００２７】また励起光分離フィルター23は、ライン光源21から出射される励起光Ｌはカットし、一方この励起光Ｌによって励起されて発せられた輝尽発光光は透過させるように設定されたフィルターである。
【００２８】光ファイバー束22は、例えば2000本の光ファイバー22i から構成され、各光ファイバー22i は直径 0.1mm、コア90％であり、前述したとおりこの2000本の光ファイバー22i の入射端面はライン光源21の延在方向に平行に一列に並ぶように配列されて構成される（図３（１）参照）が、出射端面は、同図（１）または（２）に示すようにランダムに束ねられた構成である。
【００２９】屈折率分布形レンズアレイ24′を構成する多数の屈折率分布形レンズ24としては、例えば「セルフォックレンズ」（登録商標）を用いるものとする。」
　
　上記引用例１記載事項及び図面を総合勘案すると、引用例１には、次の発明（以下、「引用発明」という。）が記載されていると認められる。
　
「放射線画像情報が蓄積記録された蓄積性蛍光体シート10の一部に励起光を線状に照射するライン光源21と、前記蓄積性蛍光体シート10の線状に照射された部分および／またはこの照射された部分に対応する前記蓄積性蛍光体シート10の裏面側の部分から発光された輝尽発光光を受光して光電変換を行う多数の光電変換素子が配列されたＣＣＤ25と、前記ＣＣＤ25と前記蓄積性蛍光体シート10との間に配設された前記輝尽発光光を集光する集光光学系と、前記ライン光源21、前記集光光学系および前記ＣＣＤ25を前記蓄積性蛍光体シート10に対して相対的に、前記線状の長さ方向とは略直交する方向に移動させる搬送ベルト28a ，28bとを備えた放射線画像情報読取装置において、前記集光光学系が、前記蓄積性蛍光体シート上の前記輝尽発光光が発光される線状の領域からの輝尽発光光を集光する屈折率分布形レンズアレイ24′を構成する多数の屈折率分布形レンズ24と、励起光をカットし、一方この励起光によって励起されて発せられた輝尽発光光を透過させるように設定された励起光分離フィルター23とからなる放射線画像情報読取装置」
　
（２）原審の拒絶の理由において引用された、本願の出願前に頒布された刊行物である特開昭６１−４９５５７号公報（以下、「引用例２」という。）には、以下の技術事項が記載されている。
　
（ａ）「輝尽性螢光体を有する螢光体シートに励起光を照射して輝尽性螢光体に記録されている放射線画像情報を読み出す放射線画像読取装置において、励起光を線状に絞つて螢光体シートを１ライン同時に照射し、その１ライン分の情報を同時読み取り可能な光学部を有し、螢光体シートを照射する励起光の光量と輝尽光の減衰量を記憶しておき、同一場所に複数回光量を変えて励起光を照射し、光学部が読み取る輝尽光の範囲を広くすることを特徴とする放射線画像読取装置。」（公報第１頁左欄第５〜１４行参照）
　
（ｂ）「第１図は本発明装置の一実施例の構成を示すブロック図である。２０は照射面をほぼ一様の照度で照射できる棒状のランプであり、例えばハロゲンランプの場合、照度斑を±５％以内に容易に設計できる。２１は楕円鏡であり、楕円の一方の焦点位置にランプ２０を配置し、他方の焦点位置に入力光を線状に絞ることのできるシリンドリカルレンズ２２を配置して、ランプ２０の光を効率良くシリンドリカルレンズ２２に集光させる。」（公報第２頁右下欄第１２〜２０行参照）
　
（ｃ）「２６は入力端面から所定の距離にある物体の正立等倍像を、出力面から所定の距離に結像するロッドレンズアレーである。第３図はロッドレンズアレー２６の一例を示す断面図である。３０は屈折率が中心軸から半径方向に分布をもつ屈折率分布形レンズであり、３１はセルフォックレンズ同志及びセルフォックレンズと側板３２を接着するためのシリコン樹脂である。
　２７は螢光体シート３から発光される輝尽光の波長領域の光のみを通すＢＰＦであり、輝尽光のスペクトル曲線を考えて透過波長帯域を３５０〜４５０nmに設定されている。
　螢光体シート３から発光される輝尽光は、ロッドレンズアレー２６の設定位置を適当に選ぶことにより、ラインセンサ２８の受光面に結像できるため、ラインセンサ２８は、輝尽光を画素毎に同時に受光できる。また、螢光体シート３はローラ１３ａ、１３ｂにより駆動されるベルト１４上に置かれて副走査されるため、シリンドリカルレンズ２２による線照射とあわせて、螢光体シート３の全面を照射することができる。」（公報第３頁左上欄第１１行〜同頁右上欄１１行参照）
　
（ｄ）「第２図はラインセンサ２８の基本構成を示す概略ブロック図である。ラインセンサ２８は感光部４０、転送部４１、出力部４２の３つのブロックで構成されており、光信号がラインセンサ２８に入力されると感光部４０で電気信号に変換され、得られた信号電荷を一時的に蓄積される。」（公報第３頁右上欄第１６行〜同頁左下欄１行参照）
　
（ｅ）「楕円鏡２１の一方の焦点位置に設定されたランプ２０から放射された励起光は、楕円鏡２１の他方の焦点位置に設置されているシリンドリカルレンズ２２によって、例えば線幅１００μｍの線状ビームに絞られ、スリット２５を通過して螢光体シート３を照射する。」（公報第４頁左上欄第１〜６行参照）
　
（ｆ）「螢光体シート３は、励起光が照射されると記録しているＸ線の線量に応じた強さの輝尽光を発生する。この輝尽光はロッドレンズアレー２６で集光され、ラインセンサ２８の受光面上に結像する。ロッドレンズアレー２６とラインセンサ２８の間にはＢＰＦ２７が設置されており、螢光体シート３から発光された輝尽光のみがラインセンサ２８に入力する。」（公報第４頁左上欄第１４行〜同頁右上欄１行参照）
　
３．対比
　本願発明を、引用発明と対比する。
　引用発明における「放射線画像情報が蓄積記録された蓄積性蛍光体シート10」は、本願発明における「放射線画像情報が蓄積記録された蓄積性蛍光体シート」に相当する。
　引用発明における「励起光を線状に照射するライン光源21」は、本願発明における「励起光を線状に照射するライン光源」に相当する。
　引用発明における「シートの線状に照射された部分および／またはこの照射された部分に対応する前記シートの裏面側の部分から発光された輝尽発光光を受光して光電変換を行う多数の光電変換素子が配列されているＣＣＤ25」と、本願発明における「シートの線状に照射された部分および／またはこの照射された部分に対応する前記シートの裏面側の部分から発光された輝尽発光光を受光して光電変換を行う多数の光電変換素子が配列されているラインセンサ」とは、シートの線状に照射された部分および／またはこの照射された部分に対応する前記シートの裏面側の部分から発光された輝尽発光光を受光して光電変換を行う多数の光電変換素子が配列されているセンサであるという点で一致する。
　引用発明における「ＣＣＤ25と前記蓄積性蛍光体シート10との間に配設された前記輝尽発光光を集光する集光光学系」と、本願発明における「ラインセンサと前記蓄積性蛍光体シートとの間に配設された前記輝尽発光光を集光する集光光学系」とは、センサと蓄積性蛍光体シートとの間に配設された輝尽発光光を集光する集光光学系であるという点で一致する。
　引用発明における「ライン光源21、前記集光光学系および前記ＣＣＤ25を前記蓄積性蛍光体シート10に対して相対的に、前記線状の長さ方向とは略直交する方向に移動させる搬送ベルト28a ，28b」と、本願発明における「ライン光源、前記集光光学系および前記ラインセンサを前記シートに対して相対的に、前記線状の長さ方向とは異なる方向に移動させる走査手段」とは、ライン光源、集光光学系およびセンサをシートに対して相対的に、前記線状の長さ方向とは異なる方向に移動させる走査手段であるという点で一致する。
　引用発明における「蓄積性蛍光体シート上の前記輝尽発光光が発光される線状の領域からの輝尽発光光を集光する屈折率分布形レンズアレイ24′を構成する多数の屈折率分布形レンズ24」と、本願発明における「蓄積性蛍光体シート上の前記輝尽発光光が発光される線状の領域の正立等倍像を前記ラインセンサ上に結像させる結像レンズを多数配列してなる」「集光光学系」とは、蓄積性蛍光体シート上の前記輝尽発光光が発光される線状の領域からの輝尽発光光を集光するレンズを多数配列してなるものであるという点で一致する。
　引用発明における「励起光によって励起されて発せられた輝尽発光光を透過させるように設定された励起光分離フィルター23」と、本願発明における「蓄積性蛍光体シート上の前記輝尽発光光が発光される線状の領域の正立等倍像を前記ラインセンサ上に結像させる結像レンズを多数配列してなる」「集光光学系」とは、輝尽発光光を透過し励起光をカットする手段を有するものであるという点で一致する。
　
　すると、本願発明と、引用発明とは、次の点で一致する。
　
「放射線画像情報が蓄積記録された蓄積性蛍光体シートの一部に励起光を線状に照射するライン光源と、前記シートの線状に照射された部分および／またはこの照射された部分に対応する前記シートの裏面側の部分から発光された輝尽発光光を受光して光電変換を行う多数の光電変換素子が配列されたセンサと、前記センサと前記蓄積性蛍光体シートとの間に配設された前記輝尽発光光を集光する集光光学系と、前記ライン光源、前記集光光学系および前記センサを前記シートに対して相対的に、前記線状の長さ方向とは異なる方向に移動させる走査手段とを備えた放射線画像情報読取装置において、前記集光光学系が、前記蓄積性蛍光体シート上の前記輝尽発光光が発光される線状の領域からの輝尽発光光を集光するレンズを多数配列してなるものであり、かつ、輝尽発光光を透過し励起光をカットする手段を有する放射線画像情報読取装置。」
　
　一方で、両者は、次の相違点で相違する。
　
（１）輝尽発光光を受光して光電変換を行う多数の光電変換素子が配列されたセンサが、本願発明はラインセンサであるのに対して、引用発明はＣＣＤである点。（以下、相違点（１）という。）
　
（２）蓄積性蛍光体シート上の輝尽発光光が発光される線状の領域からの輝尽発光光を集光するレンズが、本願発明は、蓄積性蛍光体シート上の輝尽発光光が発光される線状の領域の正立等倍像をラインセンサ上に結像させる結像レンズであるのに対して、引用発明は、蓄積性蛍光体シート上の輝尽発光光が発光される線状の領域の正立等倍像をラインセンサ上に結像させる結像レンズであるのか否かが不明である点。（以下、相違点（２）という。）
　
（３）輝尽発光光を透過し励起光をカットする手段が、本願発明は、輝尽発光光を透過し励起光をカットする着色が施され、かつ、蓄積性蛍光体シート上の輝尽発光光が発光される線状の領域の正立等倍像をラインセンサ上に結像させる結像レンズであるのに対して、引用発明は、蓄積性蛍光体シート上の輝尽発光光が発光される線状の領域からの輝尽発光光を集光するレンズとは別に設けられた、励起光によって励起されて発せられた輝尽発光光を透過させるように設定された励起光分離フィルターである点。（以下、相違点（３）という。）
　
４．判断
　上記相違点（１）について検討する。
　引用例２には、輝尽性螢光体に記録されている放射線画像情報を読み出す放射線画像読取装置において、棒状のランプからの励起光を線状に絞って螢光体シートに照射し、前記螢光体シートの照射された部分から発生する輝尽光をロッドレンズアレーで集光し、ラインセンサの受光面上に結像し、ラインセンサで電気信号に変換し、螢光体シートがベルト上に置かれて副走査される放射線画像読取装置、すなわち、放射線画像情報が蓄積記録された蓄積性蛍光体シートの一部に励起光を線状に照射するライン光源と、前記シートの線状に照射された部分から発光された輝尽発光光を受光して光電変換を行う多数の光電変換素子が配列されたラインセンサと、前記ラインセンサと前記蓄積性蛍光体シートとの間に配設された前記輝尽発光光を集光する集光光学系と、前記ライン光源、前記集光光学系および前記センサを前記シートに対して相対的に、前記線状の長さ方向とは異なる方向に移動させる走査手段とを備えた放射線画像情報読取装置が記載されている。引用発明においても、輝尽発光光を受光して光電変換を行う多数の光電変換素子が配列されたセンサを、引用例２に記載されるようにラインセンサとすることは当業者が容易に想到しうることである。
　
　上記相違点（２）について検討する。
　引用例２には、前記ロッドレンズアレーが、入力端面から所定の距離にある物体の正立等倍像を、出力面から所定の距離に結像するものであることも記載されており、引用発明においても、集光光学系を、引用例２に記載されるように、蓄積性蛍光体シート上の前記輝尽発光光が発光される線状の領域の正立等倍像をラインセンサ上に結像させる結像レンズを多数配列してなるものとすることは当業者が容易に想到しうることである。
　
　上記相違点（３）について検討する。
　蛍光を受光する装置において、蛍光を集光するレンズを波長選択フィルタ機能を有するフィルタ材料で構成すること、すなわち、蛍光を集光するレンズに蛍光を透過し励起光をカットする着色を施すことは周知慣用技術であるから（例えば特開平９−７９９７１号公報、及び、特開平９−７９９６９号公報を参照されたい。）、引用発明においても、輝尽発光光を集光する結像レンズに、輝尽発光光を透過し励起光をカットする着色を施すことは当業者が容易になしうることである。
　
　そして、本願発明１の作用効果が引用発明、引用例２に記載された発明、及び周知慣用技術から予期し得ない格別のものであるとも認められない。
　したがって、本願発明１は、引用発明、引用例２に記載された発明、及び周知慣用技術に基づいて当業者が容易に発明をすることができたものである。
　
５．むすび
　以上のとおり、本願の請求項１に係る発明は、特許法第２９条第２項の規定により特許を受けることができないものである。
　したがって、本願は拒絶すべきものである。
　よって、結審のとおり審決する。